(57)【要約】【課題】  本発明はコネクタ装置に関し、プラグコンタクトとジャックコンタクトとの電気的接続に少しの悪い影響も及ぼすことなくクリック感を得るようにすることを目的とする。【解決手段】  合成樹脂成形部品であるジャックハウジング１２は、その一部に片持ち腕部１６を有し、この片持ち腕部１６の先端に突起部１７を有する。プラグハウジング３２は、ガイド用腕部３４の基部の内側面に、突起部３６を有する。プラグコネクタ３０をジャックコネクタ１１へ差し込む最終段階において、突起部３６が片持ち腕部１６を撓ませつつ突起部１７を乗り越え、このときにクリック感を発生させる。【選択図】  図１１
2006338956.tif 000002
【特許請求の範囲】
【請求項１】
樹脂成形品である絶縁性のジャックハウジングと、該ジャックハウジングに並んで組み込んであるジャックコンタクトとよりなるジャックコネクタと、
樹脂成形品である絶縁性のプラグハウジングと、該プラグハウジングに並んで組み込んであるプラグコンタクトとよりなるプラグコネクタとを有し、
前記プラグハウジングが前記ジャックハウジングに所定位置まで嵌合し、前記プラグコンタクトが前記ジャックコンタクトに接触されて、前記プラグコネクタが前記ジャックコネクタと接続される構成のコネクタ装置において、
前記ジャックハウジング及び前記プラグハウジングの少なくとも一方は、先端に突起部を有して弾性的に撓むことが可能である腕部を有する形状を有し、
前記プラグハウジングが前記ジャックハウジングに前記所定位置にまで嵌合される最終段階において、前記腕部が弾性的に撓まされて、該腕部の前記突起部が相手方である前記プラグハウジング又は前記ジャックハウジングの突起部を乗り越える構成としたことを特徴とするコネクタ装置。
【請求項２】
樹脂成形品である絶縁性のジャックハウジングと、該ジャックハウジングに並んで組み込んであるジャックコンタクトとよりなるジャックコネクタと、
樹脂成形品である絶縁性のプラグハウジングと、該プラグハウジングに並んで組み込んであるプラグコンタクトとよりなるプラグコネクタとを有し、
前記プラグハウジングが前記ジャックハウジングに所定位置まで嵌合し、前記プラグコンタクトが前記ジャックコンタクトに接触されて、前記プラグコネクタが前記ジャックコネクタと接続される構成のコネクタ装置において、
前記ジャックハウジングは、先端にジャックハウジング側突起部を有して弾性的に撓むことが可能である腕部を有する形状を有し、
前記プラグハウジングは、前記プラグハウジングが前記ジャックハウジングに前記所定位置にまで嵌合される最終段階において、前記ジャックハウジング側突起部を乗り越えるプラグハウジング側突起部を有する形状を有する構成としたことを特徴とするコネクタ装置。
【請求項３】
請求項２に記載のコネクタ装置において、
前記ジャックハウジングは、長方形枠部と、該長方形枠部内側のコンタクト保持部とを有し、該長方形枠部と該コンタクト保持部との間に開口を有し、前記腕部を該コンタクト保持部の両端に有する形状であり、
前記プラグハウジングは、前記開口に対応するコンタクト保持部を有し、且つ、前記プラグハウジング側突起部を、前記コンタクト保持部のうち、前記腕部に対向する部位に有する形状である構成としたことを特徴とするコネクタ装置。
【請求項４】
請求項２に記載のコネクタ装置において、
前記ジャックハウジングは、一対の長辺板部と一対の短辺板部とよりなる長方形枠部と、該長方形枠部内側のコンタクト保持部とを有し、該長方形枠部と該コンタクト保持部との間に開口を有し、前記腕部を該長方形枠部の各長辺板部の中央の内側に有する形状であり、
前記プラグハウジングは、前記開口に対応するコンタクト保持部を有し、且つ、前記プラグハウジング側突起部を前記コンタクト保持部のうち、前記腕部に対向する部位に有する形状である構成としたことを特徴とするコネクタ装置。
【請求項５】
請求項２乃至請求項４のうち何れか一項に記載のコネクタ装置において、
前記ジャックハウジング側突起部は、接続してある前記プラグコネクタを前記ジャックコネクタから引き抜くとき前記プラグハウジング側突起部が当る部分が、傾斜面である構成としたことを特徴とするコネクタ装置。
【請求項６】
請求項２乃至請求項４のうち何れか一項に記載のコネクタ装置において、
前記ジャックコネクタは、メイン基板上に実装してあり、
前記プラグコネクタは、メモリ用ＲＯＭが搭載してあって遊技機用メモリカートリッジを形成するサブ基板の端に実装してあり、
前記コネクタ装置が、前記メイン基板に対して前記サブ基板が立てて接続してある遊技機用メモリカートリッジ装置を構成することを特徴とするコネクタ装置。
【発明の詳細な説明】
【技術分野】
【０００１】
本発明はコネクタ装置に係り、特に、ジャックコネクタとプラグコネクタとよりなり、サブ基板をメイン基板に接続する部分に適用されるコネクタ装置に関する。
【背景技術】
【０００２】
パチンコ等の遊技機の内部には、垂直のメイン基板に対して、メモリ用ＲＯＭが搭載された遊技機用メモリカートリッジを形成するサブ基板が水平の向きで立てて接続してあり、このサブ基板が複数枚並んでいる基板構造からなる遊技機用メモリカートリッジ装置が設けてある。この遊技機用メモリカートリッジ装置は、メイン基板上に複数のジャックコネクタが平行に並んで実装してあり、各サブ基板の端にプラグコネクタが実装してあり、各サブ基板はそのプラグコネクタをジャックコネクタに挿入してジャックコネクタに接続させて、メイン基板と電気的に接続されている構成である。
【０００３】
ジャックコネクタとプラグコネクタとは、プラグコネクタがジャックコネクタにそれ以上は挿入されない最終位置まで嵌合されて、プラグコネクタのコンタクトがジャックコネクタのコンタクトに適正に接触するようになっている。このため、基板構造を組み立てる作業者は、プラグコネクタがジャックコネクタにそれ以上は挿入されない最終位置まで嵌合されたことを慎重に確認しつつ作業を行っている。
【０００４】
しかし、例えばプラグコネクタの挿入方向が少し斜めであったような場合には、プラグコネクタがジャックコネクタをこじって挿入が重くなって作業者はその位置が最終位置であると判断して、嵌合を最終位置に到る手前の位置で止めてしまうことがある。この場合には、プラグコネクタのジャックコネクタへの電気的接続が不完全となってしまう。
【０００５】
そこで、このようなことが起きることを回避するために、プラグコネクタがジャックコネクタにそれ以上は挿入されない最終位置まで嵌合されたことを作業者にクリック感として伝える構造が提案されている。
【０００６】
その一例は、プラグコネクタのコンタクトの一部を凸形状とし、且つジャックコネクタのコンタクトの一部を凸形状とし、プラグコネクタがジャックコネクタに最終位置まで嵌合されたときに、プラグコネクタのコンタクトの凸形状部がジャックコネクタのコンタクトの凸形状部を乗り越え、作業者にクリック感を伝えるようにしてある。
【特許文献１】特開２００５−６３８８５号公報
【特許文献２】特開２００３−１６４６３５号公報
【発明の開示】
【発明が解決しようとする課題】
【０００７】
しかし、プラグコネクタのコンタクトの凸形状部がジャックコネクタのコンタクトの凸形状部を乗り越えるときに、凸形状部同士が擦れ合い、その部分に傷がつき、或いは、場合によっては、凸形状部のメッキが剥離し、プラグコネクタのジャックコネクタへの電気的接続に悪い影響を与えてしまう。
【０００８】
そこで、本発明は、上記の点に鑑みてなされたコネクタ装置を提供することを目的とする。
【課題を解決するための手段】
【０００９】
本発明は、樹脂成形品である絶縁性のジャックハウジングと、該ジャックハウジングに並んで組み込んであるジャックコンタクトとよりなるジャックコネクタと、
樹脂成形品である絶縁性のプラグハウジングと、該プラグハウジングに並んで組み込んであるプラグコンタクトとよりなるプラグコネクタとよりなり、
前記プラグハウジングが前記ジャックハウジングに所定位置まで嵌合し、前記プラグコンタクトが前記ジャックコンタクトに接触されて、前記プラグコネクタが前記ジャックコネクタと接続される構成のコネクタ装置において、
前記ジャックハウジング及び前記プラグハウジングの少なくとも一方は、先端に突起部を有して弾性的に撓むことが可能である腕部を有する形状を有し、
前記プラグハウジングが前記ジャックハウジングに前記所定位置にまで嵌合される最終段階において、前記腕部が弾性的に撓まされて、該腕部の前記突起部が相手方である前記プラグハウジング又は前記ジャックハウジングの突起部を乗り越える構成としたことを特徴とする。
【発明の効果】
【００１０】
本発明によれば、プラグコネクタをジャックコネクタに嵌合させて接続させたときのクリック感を樹脂成形品であるハウジングの一部に形成してある腕部を利用して得ているため、プラグコンタクトとジャックコンタクトとの電気的接続に少しの悪い影響も及ぼすことなくクリック感を得ることが出来る。
【発明を実施するための最良の形態】
【００１１】
次に本発明の実施の形態について説明する。
【実施例１】
【００１２】
図１は本発明の実施例１になるパチンコ等遊技機用メモリカートリッジ装置を構成するコネクタ装置１０の斜視図、図２は図１中、II-II線を含むＹ−Ｚ面で断面して拡大して示す図である。各図中、Ｘ１−Ｘ２はコネクタ装置１０の長手方向、Ｙ１−Ｙ２は幅方向、Ｚ１−Ｚ２は高さ方向である。
【００１３】
コネクタ装置１０は、ジャックコネクタ１１とプラグコネクタ３０とよりなり、サブ基板５１をメイン基板５０に接続するのに使用される。ジャックコネクタ１１はメイン基板５０上に実装してあり、プラグコネクタ３０はメモリ用ＲＯＭ５２が搭載してあって遊技機用メモリカートリッジを形成するサブ基板５１の端に実装してある。図２及び図１に示すように、プラグコネクタ３０がジャックコネクタ１１にＺ１側から嵌合接続してあり、サブ基板５１はメイン基板５０上に垂直の姿勢で電気的に接続してある。
［ジャックコネクタ１１の構成］
ジャックコネクタ１１は、図３に分解して示すように、Ｘ１−Ｘ２方向に長い細長形状であり、樹脂成形品である絶縁性のジャックハウジング１２と、このジャックハウジング１２にその長手方向に並んで組み込んで二列に並んでいるジャックコンタクト群２０と、ジャックハウジング１２のＸ１、Ｘ２端に固定してある実装用金具２５，２６とよりなる構成である。ジャックコンタクト群２０は、第１列ジャックコンタクト群２１と第２列ジャックコンタクト群２２とが並んでいる構成である。２３は第１列ジャックコンタクト群２１の一つのジャックコンタクトであり、２４は第２列ジャックコンタクト群２２の一つのジャックコンタクトである。
【００１４】
図４はジャックコネクタ１１のＸ１端側の部分を拡大して示す斜視図であり、図５はジャックコネクタ１１のＸ１端側の部分を、下面側から見上げて拡大して示す斜視図である。図６（Ａ）はジャックハウジング１２のＸ１端側の部分の底面図、図６（Ｂ）は図６（Ａ）中、VIB-VIB線に沿う断面図である。
【００１５】
ジャックハウジング１２は、大略、長方形の枠形状の長方形枠部１３と、この長方形枠部１３の内側の略直方体形状のコンタクト保持部１４とよりなる。長方形枠部１３とコンタクト保持部１４との間にはループ形状の開口１５が形成してある。開口１５のループ形状は、逆向き接続防止のために非対称であるＤ字形状である。長方形枠部１３は、長辺板部１３ａ、１３ｂと短辺板部１３ｃ、１３ｄとよりなる。コンタクト保持部１４の両側に沿って第１列ジャックコンタクト群２１及び第２列ジャックコンタクト群２２が設けてある。開口１５はその両端に断面形状が略三角形状のガイド開口部１５ａ，１５ｂを有する。
【００１６】
コンタクト保持部１４はそのＸ１及びＸ２側の端に、片持ち腕部１６（他方は図示せず）が形成してある。片持ち腕部１６は、コンタクト保持部１４の底面１４ａからＺ１方向に向かって形成してある断面コ字形状の溝部１４ｂによって相対的に形成されており、Ｚ１側が根元部１６ａであり、Ｚ２方向に延びており、先端１６ｂのＸ１側に突起部１７を有する。片持ち腕部１６は、先端１６ｂがＸ２方向に変位するように弾性的に撓むばね性を有する。突起部１７の断面形状は、略三角形状であり、Ｚ１側に斜面部１７ａを有し、且つＺ２側に斜面部１７ｂを有する。
［プラグコネクタ３０の構成］
プラグコネクタ３０は、図７に分解して示すように、Ｘ１−Ｘ２方向に長い細長形状であり、樹脂成形品である絶縁性のプラグハウジング３２と、このプラグハウジング３２にその長手方向に並んで組み込んで二列に並んでいるプラグコンタクト群４０と、ジャックハウジング１２のＸ１、Ｘ２端に固定してある実装用金具３７，３８とよりなる構成である。プラグコンタクト群４０は、第１列プラグコンタクト群４１と第２列プラグコンタクト群４２とが並んでいる構成である。４３は第１列プラグコンタクト群４１の一つのプラグコンタクトであり、４４は第２列プラグコンタクト群４２の一つのプラグコンタクトである。
【００１７】
図８はプラグハウジング３２のＸ１端側の部分を下面側から見上げて拡大して示す斜視図である。図９（Ａ）はプラグハウジング３２のＸ１端側の部分の底面図、図９（Ｂ）は図９（Ａ）中、IXB-IXB線に沿う断面図である。
【００１８】
プラグハウジング３２は、前記のＤ字形状開口１５aに対応するコンタクト保持枠部３３を有する。コンタクト保持枠部３３は、Ｙ２側の長辺板部３３ａと、Ｙ１側の長辺板部３３ｂと、Ｘ１側の短辺板部３３ｃと、Ｘ２側の短辺板部３３ｄとよりなる。プラグコンタクト４３は長辺板部３３ａの内面に沿って、プラグコンタクト４４は長辺板部３３ｂの内面に沿って組み込んである。
【００１９】
短辺板部３３ｃ、３３ｄから、夫々ガイド用腕部３４、３５がＺ２方向に突き出して形成してある。ガイド用腕部３４、３５は共に略三角錐台形状である。
【００２０】
ガイド用腕部３４、３５の基部の対向する内側面には、突起部３６（他方は図示せず）が形成してある。
［プラグコネクタ３０のジャックコネクタ１１への接続］
プラグコネクタ３０は、図１０（Ａ）に示すようにＺ１側からジャックコネクタ１１へ差し込み、プラグハウジング３２がジャックハウジング１２の内側に所定位置まで嵌合して、且つプラグコンタクト４３、４４が夫々ジャックコンタクト３３，３４と接触されて、ジャックコネクタ１１と接続される。
【００２１】
先ず、図１０（Ｂ）に示すように、ガイド用腕部３４がガイド開口部１５ａに嵌合され、プラグコネクタ３０のジャックコネクタ１１に対する位置が決定される。
【００２２】
作業者が両手でサブ基板５１を持ってＺ２方向に強く押し付けると、コンタクト保持枠部３３がＤ字形状開口１５a内に入り込み、図２に示すように、コンタクト保持枠部３３の先端が長方形枠部１３の内側の段部１３ｅに突き当る最終状態とされ、このときに、プラグコンタクト４３、４４が夫々ジャックコンタクト３３，３４と接触されて、プラグコネクタ３０のジャックコネクタ１１とが電気的に接続される。
【００２３】
プラグコネクタ３０がジャックコネクタ１１に最終位置まで挿入される直前において、図１１（Ａ）、（Ｂ）に示すように、突起部３６が突起部１７を乗り越える。図１１（Ａ）に示すように突起部３６が突起部１７を乗り越えようとするときに、負荷がかかって作業者は重く感じ、図１１（Ａ）に示すように突起部３６が突起部１７を乗り越えたときにそれまでの負荷が解放されて、作業者は軽く感じて、作業者はクリック感を感じることが出来る。また、突起部３６が突起部１７を乗り越えるときに、図１１（Ａ）に示すように、片持ち腕部１６が一旦弾性的に撓まされ、突起部３６が突起部１７を乗り越えたときに、図１１（Ｂ）に示すように弾性復元し、突起部１７がガイド用腕部３４の側面に当って、カチャッという音を発する。作業者はこのクリック感を感じることによって、及びこのカチャッという音を聞くことによって、プラグコネクタ３０がジャックコネクタ１１に適正に接続されたことを明確に認識することができる。
【００２４】
よって、作業者はそれ以上深くは嵌合しない状態まで強く押し付けてもクリック感を感じず、又カチャッという音を聞くことができなかった場合には、プラグコネクタ３０がジャックコネクタ１１に適正に接続されていないと判断することが出来、この場合は作業をやり直すことによって、プラグコネクタのジャックコネクタへの電気的接続が不完全のままとなってしまうことが防止される。
【００２５】
また、プラグコンタクト４３、４４は夫々ジャックコンタクト３３，３４に通常に擦れて接触し、過度にきつく擦れることは起きず、プラグコンタクト４３、４４及びジャックコンタクト３３，３４が傷むことは起きない。よって、プラグコネクタ３０のジャックコネクタ１１への接続は、プラグコンタクト４３、４４とジャックコンタクト３３，３４との電気的接続に少しの悪い影響も及ぼすことなく行なわれる。
【００２６】
突起部３６が突起部１７を乗り越えるときに、図１１（Ａ）に示すように、片持ち腕部１６が弾性的に撓まされる。よって、突起部３６と突起部１７とが必要以上に強く擦れてしまうことが防止される。
【００２７】
上記のように、作業者はクリック感を感じること及びカチャッという音が聞こえることを意識して行なえば足り、作業を必要以上に慎重に行なう必要はなく、よって、作業効率は良い。
【００２８】
なお、突起部３６が突起部１７を乗り越える動作は、プラグコネクタ３０及びジャックコネクタ１１のＸ２側でも行なわれる。よって、プラグコネクタ３０をジャックコネクタ１１に接続させるときにプラグコネクタ３０が受ける負荷は、Ｘ１−Ｘ２方向上、中心に関して左右対称であり、クリック感を発生させる機構を設けているけれども、プラグコネクタ３０をジャックコネクタ１１に接続させる作業は円滑になされる。
【００２９】
なお、突起部１７はＺ２側に斜面部１７ｂを有しているため、突起部３６がＺ２方向に移動すると突起部１７は押し退けられる。よって、プラグコネクタ３０をジャックコネクタ１１から引き抜く作業は支障無くなされる。
【００３０】
なお、上記の構成とは逆にプラグハウジング３２の短辺板部３３ｃ、３３ｄの対向する面に、片持ち腕部を設け、ジャックハウジング１２に突起部を設けた構成、或いは、片持ち腕部を、ジャックハウジング１２とプラグハウジング３２との両方に設けた構成としてもよい。
【００３１】
プラグコネクタ３０がジャックコネクタ１１に接続されることによって、図１に示すように、垂直のメイン基板５０に対して、メモリ用ＲＯＭ５２が搭載された遊技機用メモリカートリッジを形成するサブ基板５１が水平の向きで立てて接続してあり、このサブ基板５１が複数枚並んでいる構造の遊技機用メモリカートリッジ装置が完成する。
【実施例２】
【００３２】
図１２は本発明の実施例２になるコネクタ装置１０Ａの斜視図、図１３は図１２中、XIII-XIII線を含むＹ−Ｚ面で断面して拡大して示す図である。各図中、Ｘ１−Ｘ２はコネクタ装置１０Ａの長手方向、Ｙ１−Ｙ２は幅方向、Ｚ１−Ｚ２は高さ方向である。
【００３３】
コネクタ装置１０Ａは、ジャックコネクタ１１Ａとプラグコネクタ３０Ａよりなり、前記のコネクタ装置１０Ａと相違する点は、クリック感を発生させる部分が中央の部分の二箇所に設けてある構成である。
【００３４】
ジャックコネクタ１１Ａは、図１３、図１４及び図１５に示すように、片持ち腕部１６Ａ１、１６Ａ２が、ジャックハウジング１２Ａの長方形枠部１３Ａの長辺板部１３Ａａ、１３ｂの内側面であって、Ｘ１−Ｘ２方向上の中央の部位に形成してある構成である。
【００３５】
プラグコネクタ３０Ａは、図１３、図１６及び図１７に示すように、突起部３６Ａ１、３６Ａ２が、プラグハウジング３２Ａのコンタクト保持枠部３３ＡのＹ２側の長辺板部３３Ａａ及びＹ１側の長辺板部３３Ａｂとの外側面であって、Ｘ１−Ｘ２方向上の中央の部位に形成してある構成である。
【００３６】
プラグコネクタ３０ＡをＺ１側からジャックコネクタ１１Ａへ差し込むと、プラグコネクタ３０がジャックコネクタ１１に最終位置まで挿入される直前において、突起部３６Ａ１、３６Ａ２が夫々片持ち腕部１６Ａ１、１６Ａ２を一時的に弾性的に撓ませて突起部１７Ａ１，１７Ａ２を乗り越える。このときに作業者はクリック感を感じること及びカチャッという音が聞こえることによって、プラグコネクタ３０Ａがジャックコネクタ１１Ａに適正に接続されたことを明確に認識することができる。
【００３７】
このコネクタ装置１０Ａは、片持ち腕部１６Ａ１、１６Ａ２、突起部１７Ａ１，１７Ａ２、突起部３６Ａ１、３６Ａ２が、Ｘ１−Ｘ２方向上の中央の部位に配置してあるため、プラグコネクタ３０Ａのジャックコネクタ１１Ａへの挿入接続がＸ１−Ｘ２方向上一様でなかった場合であっても、クリック感を続けて二回感じたり、カチャッという音が続けて二回発生したりすることが起きず、クリック感の発生は一度だけであり、カチャッという音も一度だけであり、違和感はない。
【００３８】
また、上記のように、クリック感を発生させる機構は、Ｘ１−Ｘ２方向上の中心の部位に、Ｙ１−Ｙ２方向上、中心に関して左右対称に配置してある。このため、プラグコネクタ３０をジャックコネクタ１１に接続させるときにプラグコネクタ３０が受ける負荷は、Ｘ１−Ｘ２方向上の中心に発生し、しかも、Ｙ１−Ｙ２方向上、中心に関して左右対称であり、プラグコネクタ３０をジャックコネクタ１１に接続させる作業中にプラグコネクタ３０が傾いてしまうことは起きず、プラグコネクタ３０をジャックコネクタ１１に接続させる作業は安定に行なわれる。
【００３９】
なお、上記の構成とは逆にプラグハウジング３２Ａに、片持ち腕部を設け、ジャックハウジング１２Ａに突起部を設けた構成、或いは、片持ち腕部を、ジャックハウジング１２Ａとプラグハウジング３２Ａとの両方に設けた構成としてもよい。
【図面の簡単な説明】
【００４０】
【図１】本発明の実施例１になるパチンコ等遊技機用メモリカートリッジ装置を構成するコネクタ装置の斜視図である。
【図２】図１中、II-II線を含むＹ−Ｚ面で断面して拡大して示す図である。
【図３】ジャックコネクタを分解して示す斜視図である。
【図４】ジャックコネクタのＸ１端側の部分を拡大して示す斜視図である。
【図５】ジャックコネクタのＸ１端側の部分を、下面側から見上げて拡大して示す斜視図である。
【図６】ジャックハウジングを示し、（Ａ）はジャックハウジングのＸ１端側の部分の底面図、（Ｂ）は（Ａ）中、VIB-VIB線に沿う断面図である。
【図７】プラグコネクタを分解して示す斜視図である。
【図８】プラグハウジングのＸ１端側の部分を下面側から見上げて拡大して示す斜視図である。
【図９】プラグハウジングを示し、（Ａ）はプラグハウジングのＸ１端側の部分の底面図、（Ｂ）は（Ａ）中、IXB-IXB線に沿う断面図である。
【図１０】プラグコネクタのジャックコネクタへの接続の動作を順に示す図である。
【図１１】図１０（Ｂ）に続く、プラグコネクタのジャックコネクタへの接続の動作を順に示す図である。
【図１２】本発明の実施例２になるコネクタ装置の斜視図である。
【図１３】図１２中、XIII-XIII線を含むＹ−Ｚ面で断面して拡大して示す図である。
【図１４】ジャックコネクタの斜視図である。
【図１５】図１４中、円で囲んだ部分を拡大して示す図である。
【図１６】プラグハウジングを上下反転させた姿勢で示す斜視図である。
【図１７】図１６中、円で囲んだ部分を拡大して示す図である。
【符号の説明】
【００４１】
１０、１０Ａ  コネクタ装置
１１、１１Ａ  ジャックコネクタ
１２，１２Ａ  ジャックハウジング
１３，１３Ａ  長方形枠部
１４  コンタクト保持部
１６、１６Ａ１，１６Ａ２  片持ち腕部
１７、１７Ａ１，１７Ａ２  突起部
１７ｂ  斜面部
２０  ジャックコンタクト群
２１  第１列ジャックコンタクト群
２２  第２列ジャックコンタクト群
２３，２４  ジャックコンタクト
３０、３０Ａ  プラグコネクタ
３６，３６Ａ１，３６Ａ２  突起部
４０  プラグコンタクト群
４１  第１列プラグコンタクト群
４２  第２列プラグコンタクト群
４３，４４  プラグコンタクト
５０  メイン基板
５１  サブ基板
【図１】
2006338956.tif 000003
【図２】
2006338956.tif 000004
【図３】
2006338956.tif 000005
【図４】
2006338956.tif 000006
【図５】
2006338956.tif 000007
【図６】
2006338956.tif 000008
【図７】
2006338956.tif 000009
【図８】
2006338956.tif 000010
【図９】
2006338956.tif 000011
【図１０】
2006338956.tif 000012
【図１１】
2006338956.tif 000013
【図１２】
2006338956.tif 000014
【図１３】
2006338956.tif 000015
【図１４】
2006338956.tif 000016
【図１５】
2006338956.tif 000017
【図１６】
2006338956.tif 000018
【図１７】
2006338956.tif 000019